(57)【要約】【課題】作動時に大きな騒音を発生させることなく、外気導入フィルタに付着した塵埃を清掃して、長期にわたって安定して給気（外気導入）する。【解決手段】排気ユニット２と、給気口６１から外気を室内に供給する給気ユニット６０と、排気口４と給気口６１に接続されるフィルタ収納部６５とを備え、フィルタ収納部６５の内部に、プレフィルタ６６が回転自在に設置され、回転によって第２の通風路（給気）に位置していたプレフィルタ６６が、第１の通風路（排気）に移動可能とする。【選択図】図１
2018054165.tif 000002
【特許請求の範囲】
【請求項１】
本体上部に備え屋外へ連通する排気口および給気口と、
室内に連通する上部開口部および下部開口部と、
排気ファンを配置し前記下部開口部から室内の空気を吸引し、第１の通風路を通じて前記排気口から空気を排出する排気ユニットと、
給気ファンを配置し前記給気口から外気を導入し、第２の通風路を通じて前記上部開口から室内に供給する給気ユニットと、
前記排気口および給気口の室内側において前記第１の通風路および第２の通風路を横断するプレフィルタとを備えた給排気機能を持つレンジフードであって、
前記プレフィルタは、塵埃が捕集可能な目開きをもつ網体部と前記第１の通風路の横断面よりも大きな開口部とを備えた回転体であり、
前記プレフィルタ回転位置により、前記網体部と開口部は、前記第１の通風路と第２の通風路、または前記第２の通風路と第１の通風路を横断することができるものであり、前記第１の通風路内の前記プレフィルタの回転の下流側にプレフィルタに接触する清掃ブラシを備えたことを特徴とするレンジフード。
【請求項２】
排気ユニットの風量が、給気ユニットの風量よりも大きいことを特徴とする請求項１記載のレンジフード。
【請求項３】
プレフィルタに接触した清掃ブラシは、プレフィルタをはさみこむように上下２対備えられたことを特徴とする請求項１または２記載のレンジフード。
【請求項４】
フィルタ収納部に、上下に移動可能なシャッターを備えたことを特徴とする請求項１から３いずれかに記載のレンジフード。
【発明の詳細な説明】
【技術分野】
【０００１】
本発明は、給排気機能を持つレンジフードの塵埃捕集部の清掃に関するものである。
【背景技術】
【０００２】
従来、この種のレンジフードは、図１５に示すように、下部開口部１０１から室内の空気を吸引し、本体上部の排気口１０２から排出するレンジフード本体１０３と、前記レンジフード本体１０３上部に設置された排気ダクト１０４に接続され、レンジフード本体１０３上部の排気口１０２を覆うように取り付けられた排気チャンバ１０５と、レンジフード本体１０３の上部に設置され、外気を室内に供給する給気ダクト１０６に接続された給気チャンバ１０７とを備えている。レンジフード本体１０３を運転して、室内空気を排気する際に、給気チャンバ１０７から室外の空気を供給することができるため、室外に比べて室内が大幅に負圧になることがなく、効率的に換気を行うことができるものであった（例えば、特許文献１を参照）。
【０００３】
また、建物外壁に開口した外気導入口にフィルタを装備し、圧縮空気を用いてフィルタに付着した塵埃を除去する換気装置が知られていた。図１６に示すように、建物２０１の外壁面に開口された外気導入口２０２に装備されるフィルタ２０３の下流側に、圧縮空気を前記フィルタ２０３に向けて噴射して、フィルタに付着した塵埃を除去する塵埃除去手段２０４を備えている。塵埃除去手段２０４は、コンプレッサ２０５と圧力タンク２０６と噴射ノズル２０７を備え、前記噴射ノズル２０７はフィルタ２０３に対向して配置されている。
【０００４】
フィルタに塵埃が付着した場合、フィルタに対して室内側から圧縮空気が噴射され、それによってフィルタの外側面に付着した塵埃は吹き飛ばされて除去され、元の状態に復帰され、長期にわたって安定した給気（外気導入）が確保されるものであった（例えば、特許文献２を参照）。
【先行技術文献】
【特許文献】
【０００５】
【特許文献１】実公平０１−０２３０５７号公報
【特許文献２】特開平１０−１６０２１７号公報
【発明の概要】
【発明が解決しようとする課題】
【０００６】
このような従来のレンジフードにおいては、図１５に示すように、給気チャンバ１０７から室外の空気を供給することはできるが、外気が塵埃や蝿や蚊等の物質を含んでいる場合には、それらを室内に導入してしまうという課題があった。
【０００７】
また、図１６に示すように、外壁に開口した外気導入口にフィルタを装備し、清掃する方法では、外気が塵埃や蝿や蚊等の不快な物質を含んでいてもフィルタによって除去することができる。しかしながら、フィルタが住宅外壁面の高い位置にあるため故障時のメンテナンスは非常に困難であり、高層住宅の壁面などには装備しにくいものであった。また、天井に重量物であるコンプレッサ２０５と圧力タンク２０６を備えるために、天井裏を強度補強して電気配管工事をする必要があり、そのメンテナンスも困難なものであった。さらに、圧縮空気の動作音が不快な騒音となるという課題があった。
【０００８】
そこで本発明は、上記従来の課題を解決するものであり、作動時に大きな騒音を発生させることなく、外気導入フィルタに付着した塵埃を清掃して、長期にわたって安定して給気（外気導入）ができる給排気機能を持つレンジフードを提供することを目的としている。
【課題を解決するための手段】
【０００９】
そして、この目的を達成するために、本発明は、本体上部に備え屋外へ連通する排気口および給気口と、室内に連通する上部開口部および下部開口部と、排気ファンを配置し前記下部開口部から室内の空気を吸引し、第１の通風路を通じて前記排気口から空気を排出する排気ユニットと、給気ファンを配置し前記給気口から外気を導入し、第２の通風路を通じて前記上部開口から室内に供給する給気ユニットと、前記排気口および給気口の室内側において前記第１の通風路および第２の通風路を横断するプレフィルタとを備えた給排気機能を持つレンジフードであって、前記プレフィルタは、塵埃が捕集可能な目開きをもつ網体部と前記第１の通風路の横断面よりも大きな開口部とを備えた回転体であり、前記プレフィルタ回転位置により、前記網体部と開口部は、前記第１の通風路と第２の通風路、または前記第２の通風路と第１の通風路を横断することができるものであり、前記第１の通風路内の前記プレフィルタの回転の下流側にプレフィルタに接触する清掃ブラシを備えたことを特徴とするレンジフードとしたものであり、これにより所期の目的を達成するものである。
【発明の効果】
【００１０】
本発明によれば、作動時に大きな騒音を発生させることなく、外気導入フィルタに付着した塵埃を清掃して、長期にわたって安定して給気（外気導入）ができる給排気機能を持つレンジフードを提供することができる。
【図面の簡単な説明】
【００１１】
【図１】本発明の実施の形態１のレンジフードを示す正面図
【図２】同レンジフードの側面図
【図３】同レンジフードの断面図
【図４】同排気ユニットの側面断面構成図
【図５】同排気ユニットの羽根車の斜方構成図
【図６】同排気ユニットのケーシングを示す構成図
【図７】同レンジフードのフィルタ収納部を上部からみた構成図
【図８】同レンジフードのプレフィルタの例を示す構成図
【図９】同レンジフードの構成を示すブロック図
【図１０】同レンジフードの清掃モードの動作を示すフローチャート
【図１１】同レンジフードのプレフィルタと清掃ブラシの状態を示す概略断面図
【図１２】同レンジフードのプレフィルタ清掃時の状態を示す概略断面図
【図１３】同レンジフードのシャッターとガイド部分を示す拡大図
【図１４】同レンジフードのシャッターとガイド部分を示す拡大図
【図１５】従来の特許文献１のレンジフードを示す断面構成図
【図１６】従来の特許文献２の換気装置を示す断面構成図
【発明を実施するための形態】
【００１２】
本発明の請求項１に係わるレンジフードは、本体上部に備え屋外へ連通する排気口および給気口と、室内に連通する上部開口部および下部開口部と、排気ファンを配置し前記下部開口部から室内の空気を吸引し、第１の通風路を通じて前記排気口から空気を排出する排気ユニットと、給気ファンを配置し前記給気口から外気を導入し、第２の通風路を通じて前記上部開口から室内に供給する給気ユニットと、前記排気口および給気口の室内側において前記第１の通風路および第２の通風路を横断するプレフィルタとを備えた給排気機能を持つレンジフードであって、前記プレフィルタは、塵埃が捕集可能な目開きをもつ網体部と前記第１の通風路の横断面よりも大きな開口部とを備えた回転体であり、前記プレフィルタ回転位置により、前記網体部と開口部は、前記第１の通風路と第２の通風路、または前記第２の通風路と第１の通風路を横断することができるものであり、前記第１の通風路内の前記プレフィルタの回転の下流側にプレフィルタに接触する清掃ブラシを備えたことを特徴とする。
【００１３】
これにより、屋外の空気が塵埃や蝿や蚊等の物質を含んでいる場合であっても、第２の通風路に備えたプレフィルタによって除去することができるため、それらの不快物質を室内に導入することがないという効果を得ることができる。さらに、メインフィルタを通過させることによって、ＰＭ２．５などの微粒子まで除去することができる。
【００１４】
また、プレフィルタが回転自在であるため、第２の風路に位置して給気時に塵埃や蝿や蚊等の不快な物質を上面側に捕集していたプレフィルタを、水平方向に回転させて第１の風路側に移動し、排気風を下方から上方に向けてあてることができる。これにより、プレフィルタの上面側に付着していた不快な物質を排気風の動圧で室外に排出することができ、フィルタの清掃が可能となる。排気風の動圧で取りきれない塵埃等は、プレフィルタに接触したブラシによって剥離させることができ、排気風によって室外に排出される。それでも排出しきれない凝集した塵埃があった場合には、凝集した塵埃は送風機のブレード上部に落下し、回転するブレードとの衝突によって大きな凝集状態から小さな塵埃に破砕されて浮遊しやすくなり、排気風で室外に排出することができる。
【００１５】
送風機のブレードに細かい塵埃が付着した場合でも、羽根車を洗浄する洗浄装置と、制御部を備えているため、水洗いによって付着した塵埃を取り除くことができ、レンジフードを清潔に保つことができる。
【００１６】
また、レンジフード本体の上部に、メインフィルタと、フィルタ収納部とプレフィルタが備えられているため、故障時にも室内から一括してメンテナンスすることができ、特許文献２のように屋外や天井部での高所メンテナンス作業をする必要がなく、取り扱い性に優れるという効果を得ることができる。
【００１７】
また、圧力タンク等の重量物を備えておらず、住宅への強度補強工事が不要で、動作音が小さな給気排気機能を持つレンジフードを提供することができる。
【００１８】
また、網体の開口部の面積が、通風路の横断面の面積と同じかそれ以上としたものである。これにより、塵埃や蝿や虫を捕集するための網部分の面積を最大にしつつ、レンジフードの排気風量を減少させずに空気を排出することができる。
【００１９】
また、請求項２に係わるレンジフードは、排気ユニットの風量が、給気ユニットの風量よりも大きいことを特徴としたものである。これにより、フィルタ再生時に塵埃や蝿や虫をプレフィルタから剥離させる力が増加し、排気ユニットから室外に確実に不快な物質を排出することができる。
【００２０】
また、請求項３に係わるレンジフードは、プレフィルタに接触した清掃ブラシは、プレフィルタをはさみこむように上下２対備えられたことを特徴としたものである。これにより、プレフィルタに付着した塵埃を上下方向からブラシで摩擦することができ、フィルタからの塵埃の剥離性能をさらに向上させてフィルタを清掃することができる。
【００２１】
また、請求項４に係わるレンジフードは、フィルタ収納部に、上下に移動可能なシャッターを備えたことを特徴としたものである。これにより、プレフィルタの回転に追随せずに給気経路である第２の通風路に塵埃や蝿や虫が残留してしまうことがないという効果を得ることができ、さらに清掃性能を高めることができる。
【００２２】
以下、本発明の実施の形態について図面を参照しながら説明する。
【００２３】
（実施の形態１）
本実施の形態の給排気機能付きレンジフード１は、図１に示すように、本体上部に屋外へ連通する排気口４および給気口６１と、室内に連通する上部開口部６４および下部開口部８とを備えている。また、図３に示すように、内部には、排気ファンとしての送風機１１を配置し、下部開口部８から室内の空気を吸引し、第１の通風路３９を通じて排気口４から空気を排出する排気ユニット２と、給気ファン６２を配置し、給気口６１から外気を導入し、第２の通風路４０を通じて上部開口部６４から室内に供給する給気ユニット６０と、排気口４および給気口６１の室内側において第１の通風路３９および第２の通風路４０を横断するプレフィルタ６６とを備えたものである。
【００２４】
以下、排気ユニット２、給気ユニット６０、プレフィルタ６６の順に説明する。
【００２５】
まず、排気ユニット２は、図２に示すように、壁面３に設置し、排気口４に排気ダクト５を接続して屋外と連通している。排気ユニット２は、なべ等の調理器具６の上方で調理器具６から発生する油煙を捕集できるようにフード部７を備えた箱体であって、フード部７の下面に下部開口部８を備えている。
【００２６】
図３は、図２をＡ−Ａ’方向から見た概略断面図である。図４は、排気ユニット２部の概略断面図である。排気ユニット２の内部には、羽根車１０を備えた排気ファンとしての送風機１１と羽根車１０を洗浄する洗浄装置１２、制御部１３を備えている。
【００２７】
排気ファンとしての送風機１１は、前記羽根車１０に加えて、この羽根車１０を回転させる電動機１４と羽根車１０を包囲する洗浄ケーシング１５を備えている。洗浄ケーシング１５には、送風のための流入口１９と流出口２３が備えられている。
【００２８】
羽根車１０は、図５に示すように、少なくとも複数のブレード１６と環状の側板１７と円形の主板１８で構成されている。ブレード１６は、洗浄ケーシング１５の流入口１９側に位置する側板１７と電動機１４側に位置する主板１８によって両端部を挟み込むようにして配置している。
【００２９】
ブレード１６は、主板１８上の外周部に立設し、円環状に複数を配置している。すなわちブレード１６は同一円周上に配置されている。そしてブレード１６は、羽根車１０の外周から内周へ向けた直線状の流路が所定の角度範囲で隣のブレード１６に干渉しないように、隙間を開けて配置している。
【００３０】
また、ブレード１６の内周部には、図５に示すように、羽根車１０の内周を周回するリング状の油捕集機構部２０を、回転軸２１方向に互いに一定距離（例えば１５ｍｍ）を離して、複数枚取り付けている。なお、油捕集機構部２０間の一定距離は、最適な距離であれば良く、本実施の形態のものに限るものではない。また、油捕集機構部２０は、必須のものではない。
【００３１】
洗浄ケーシング１５は、図６に示すように、スクロール板２４と、このスクロール板２４を挟むように配置したケーシング前面板２５とケーシング背面板２６と、舌部２７と、スクロール板２４の延長上に備えた延設板２８と、舌部２７の延長上に備えた延長板２９とを備えている。なお、洗浄ケーシング１５において、延設板２８と、延長板２９は必須のものではない。
【００３２】
ケーシング前面板２５とケーシング背面板２６は、羽根車１０の高さ方向（図５の側板１７と主板１８との間の距離）に対応して所定の間隔を開けて配置した平面板である。
【００３３】
スクロール板２４は、羽根車１０の外周で、舌部２７を基点として羽根車１０の送風時の回転方向に沿って風路を拡大する曲面板である。延設板２８はスクロール板２４をさらに流出口２３へ延設した平面板である。また、延長板２９は、舌部２７の送風時の回転方向とは逆の側から流出口２３へ延設した平面板である。
【００３４】
また、スクロール板２４は、洗浄ケーシング１５の側面部３０の主要部に渡り配置されている。洗浄ケーシング１５の側面において、舌部２７から羽根車１０の送風回転方向に約３００度の範囲を占めている。
【００３５】
流出口２３は、ケーシング前面板２５とケーシング背面板２６と延設板２８、延長板２９のそれぞれ端部に囲まれて形成している。また、延設板２８、延長板２９を備えない場合には、ケーシング前面板２５とケーシング背面板２６、スクロール板２４、舌部２７のそれぞれ端部に囲まれて形成すればよい。
【００３６】
また、洗浄ケーシング１５は、略中央部に円形の流入口１９を設け、その周りにオリフィス３１を備えている。また、ケーシング背面板２６側に電動機１４を配置し、電動機１４からシャフト３２を通じ羽根車１０を回転させている（図４参照）。
【００３７】
洗浄ケーシング１５は、図４に示すように、排気ユニット２内部で、ケーシング前面板２５とケーシング背面板２６を立てるように配置している。すなわち、羽根車１０は、回転軸２１を横にして配置し、流出口２３を上方へ向けて配置している。
【００３８】
流入口１９は、排気ユニット２内部で開口し、下部開口部８に連通している。下部開口部８から流入口１９、送風機１１、流出口２３、排気口４へと連通した部分を、第１の通風路３９と呼ぶ。
【００３９】
電動機１４の内部には、回転数センサー（図示せず）と電流センサー（図示せず）がついており、電動機１４の回転数と電流値を検知する。回転数センサーとしては、ホールＩＣが好ましく、コストが安く精度が良いからである。
【００４０】
洗浄装置１２は、図４に示すように、送風機１１の洗浄ケーシング１５と、洗浄液３３を貯水する貯水装置３４と、給水部３５と、排水トレイ３６とを備えている。洗浄ケーシング１５は、送風機１１と洗浄装置１２の両方の構成部品を兼ねている。貯水装置３４は、洗浄ケーシング１５の下方に設けている。
【００４１】
図６にも示すように洗浄ケーシング１５には下端部に排水口としての孔３７を設け、孔３７には洗浄ケーシング１５内に洗浄液３３を貯排する開閉弁３８を設け、開閉弁３８の下方に排水トレイ３６を配置している。
【００４２】
洗浄ケーシング１５内には、図４に示すように、内部に洗浄液３３を貯めたときの水位を検知できるよう、水位検知部４２を備えている。水位検知部４２には、フロート式、静電容量式、圧力式等の様々な方式の水位センサーを適用することができるが、本実施の形態１では、コストが安いフロート式を採用している。
【００４３】
給水部３５は、給水ノズル４３と、給水ポンプ４４とを備えている。給水ノズル４３は、洗浄ケーシング１５におけるスクロール板２４の上部に設けられている。
【００４４】
給水ポンプ４４は、貯水装置３４の上方、フード部７内の背面下部に設けられ、貯水装置３４と給水ポンプ４４とは筒形状の第１の管４５によって連通している。第１の管４５は、給水ポンプ４４の上流側である吸い込み側に設けられている。給水ポンプ４４の下流側である吹き出し側には、筒形状の第２の管４６を設けている。給水ポンプ４４によって、貯水装置３４内の洗浄液３３を第１の管４５を介して給水ポンプ４４に吸い上げ、第２の管４６を介して給水ノズル４３へ送水され、給水ノズル４３から洗浄ケーシング１５内に給水することができる。
【００４５】
続いて、給気ユニット６０について図１から図３を参照しながら説明する。図２に示すように、給気ユニット６０は、排気ユニット２の上部に設置され、給気口６１と給気ファン６２と、メインフィルタ６３とを備えている。メインフィルタ６３の下流側に、室内に向けて開口した上部開口部６４を備え、メインフィルタ６３によって清浄化された空気が室内に供給される。給気口６１から給気ファン６２、メインフィルタ６３、上部開口部６４へと連通した部分を第２の通風路４０と呼ぶ。
【００４６】
メインフィルタ６３の種類は特に制約はなく、一般的な樹脂製のプリーツフィルタを用いても良く、特にＰＭ２．５と呼ばれる２．５μｍ程度の微粒子が捕集できるものが好適である。メインフィルタ６３は、給気ユニット６０の第２の通風路  内にあればよいが、上部開口部６４に対向する位置に設置すると、メンテナンスや交換が容易となり好ましい。
【００４７】
続いてプレフィルタ６６について図１から図３および図７を参照しながら説明する。図３に示すように、プレフィルタ６６は、フィルタ収納部６５内に収納されている。
【００４８】
フィルタ収納部６５は、プレフィルタ６６のほかに、図７に示すように、清掃ブラシ６７と、プレフィルタ６６を回転させる駆動部６８と、ギア６９とを備えている。
【００４９】
プレフィルタ６６は、塵埃が捕集可能な目開きをもつ円盤状の網体７０であり、金属網、樹脂網などを利用できる。金属板に穴を開けたパンチングメタルを使用してもよい。塵埃や蝿や蚊等の物質を捕集できる開口を有していればよく、目開きは０．１〜８．０ｍｍ程度が良い。円盤状の網体７０の中心には回転軸７１が備えられ、プレフィルタ６６は回転自在である。
【００５０】
網体７０は、第１の通風路３９と第２の通風路４０を横断するように配置され、網体７０には第１の通風路３９の横断面と同じかそれ以上の開口部７２を備えている。
【００５１】
清掃ブラシ６７は、プレフィルタ６６と接触しており、第一の通風路に接する場所に配置されている。清掃ブラシ６７は網体７０の上面に１個備えても良いし、網体７０の上下面に２対備えても良い。
【００５２】
図８に、プレフィルタ６６の一例を示す。図８（ａ）は、網体７０に円形の開口部７２を備えたものであり、網体７０の外縁部には略円形の枠７３を備えている。枠７３には溝７４が形成されており、ギア６９と噛み合うことで、ギア６９の回転動作をプレフィルタ６６に伝え、回転方向や回転速度を制御できる。また、図８（ｂ）は、半円形の開口部７２を備えた別の一例であり、開口部７２の面積を広げたものである。網体７０の開口部７２の面積は、通風路の横断面の面積と等しいかそれよりも大きければよい。
【００５３】
図９に示す制御部１３は、給気ファン６２を駆動させる給気モードと、送風機１１を駆動させる給排気モードと、給気ファン６２と送風機１１を同時駆動させる給排気モードと、送風機１１と駆動部を駆動させる清掃モードを有している。すなわち、制御部１３は、送風機１１（電動機１４）と、給気ファン６２と、プレフィルタ６６（駆動部６８）と、タイマ７５と、位置検知手段７６と、表示ランプ７７の動作を制御するものである。なお、送風機１１（電動機１４）と、給気ファン６２と、プレフィルタ６６（駆動部６８）と、タイマ７５と、位置検知手段７６は有線で電気的に接続されているものとする。
【００５４】
清掃モードについて図７、図１０、図１１、図１２を用いて説明する。
【００５５】
開口部７２が第１の通風路３９に位置し、網体７０が第２の通風路４０を遮る図７（ａ）の位置で給気ファン６２を運転すると、屋外の空気に含まれる塵埃や蝿や蚊等の物質はプレフィルタ６６の上面側に付着させることができる。これが給気モードである。
【００５６】
使用者が、操作部４８（図４）で清掃モードを選択すると（Ｓ１）、表示ランプ７７が点灯し（Ｓ２）、給気ファン６２の運転を停止（Ｓ３）する。次に、送風機１１を運転（Ｓ４）し、駆動部６８を運転すると、ギア６９を介してプレフィルタ６６が水平方向に回転する。ここでは、プレフィルタ６６が右回りに回転する場合を説明する。位置検知手段７６の信号を受けて、
プレフィルタ６６の開口部７２が第２の通風路４０に位置し、第２の通風路４０を遮っていた網体７０が第１の通風路３９を遮る位置に来たことを検知すると、駆動部６８は停止（Ｓ６）する。このとき、塵埃や蝿や蚊等の物質が付着した部分は、第１の通風路３９である排気側に移動されている。この状態で送風機１１が運転されているため、排気風は下方から上方に向け送風され、プレフィルタ６６の上面側に付着していた塵埃や蝿や蚊等の物質は排気風の動圧で室外に排出される。これにより、フィルタの清掃が可能となる。タイマ７５により、これを第１の所定時間継続（Ｓ７）する。
【００５７】
また、図１１に示すように、排気風の動圧で取りきれない塵埃や蝿や蚊等の物質は、プレフィルタ６６の網体７０に接触した清掃ブラシ６７によって剥離させることができ、排気風によって室外に排出される。これは、図７（ｂ）において、図１１（ａ）の状態から、駆動部６８を運転（Ｓ８）して、さらにプレフィルタを右回りに回転させることで図１１（ｂ）、（ｃ）のように埃７８が剥離されていくことで実現できる。プレフィルタ６６が図７（ａ）の位置に来たことを検知すると、駆動部６８は停止（Ｓ９）する。このとき、排気風で排出しきれない凝集した埃７８があった場合には、図１２のように、塵埃は送風機１１のブレード１６上部に落下し、回転するブレード１６と衝突によって大きな凝集状態から小さな塵埃に破砕されて浮遊しやすくなり、排気風で室外に排出することができる。タイマ７５により、これを第２の所定時間継続（Ｓ１０）する。
【００５８】
なお、排気ユニット２の風量が、給気ユニット６０の風量よりも大きくすることで、フィルタ再生時に塵埃や蝿や虫をプレフィルタから剥離させる力が増加し、排気ユニットから室外に確実に塵埃や蝿や虫等の物質を排出することができる。例えば、給気ユニット６０の風量を１００ｍ３／ｈとし、排気ユニット２の風量を４００ｍ３／ｈにすることで、プレフィルタ６６には給気時の４倍の面風速で排気風が流れる状態となり、室外に確実に不快な物質を排出することができる。
【００５９】
最後に、送風機１１を停止（Ｓ１１）し、表示ランプ７７を消灯（Ｓ１２）することで、清掃モードが終了する。
【００６０】
フィルタ収納部６５にはシャッター８１を設けても良い。
【００６１】
図８、図１３、図１４示すように、プレフィルタ６６の中心部と外周部に備えた枠７３には、上部にガイド７９を備えている。プレフィルタ６６の中心にある回転軸７１を横断して上部には隔壁８０があり、隔壁８０はプレフィルタ６６を二つの領域に仕切っている。図８（ａ）において、第１の通風路３９から見てプレフィルタ６６の回転方向の上流側の隔壁８０（回転軸７１に対し隔壁８２で指示した側）には下側面には、図１４に示す上下に可動するシャッター８１が備えられている。プレフィルタ６６が回転すると、図１４（ａ）、（ｂ）、（ｃ）の順にガイド７９の高さが徐々に上昇し、それに従動してシャッター８１が上方に移動する。シャッター８１が上方に移動して、網体７０との間に空間８３が生まれる。この空間８３によって、プレフィルタ６６の上面に付着した塵埃や蝿や虫をシャッター８１の下部に接触させることなく、第２の通風路４０から第１の通風路３９側へ移動させることができる。これによって、プレフィルタ６６の回転に追随せずに第２の通風路４０に塵埃や蝿や虫が残留してしまうことがないという効果を得ることができる。
【産業上の利用可能性】
【００６２】
本発明にかかるレンジフードは、作動時に大きな騒音を発生させることなく、外気導入フィルタに付着した塵埃を清掃して、長期にわたって安定して給気（外気導入）ができるものであり、同様の機能が付いた換気装置等にも適用することができる。
【符号の説明】
【００６３】
１    レンジフード
２    排気ユニット
３    壁面
４    排気口
５    排気ダクト
６    調理器具
７    フード部
８    下部開口部
１０    羽根車
１１    送風機
１２    洗浄装置
１３    制御部
１４    電動機
１５    洗浄ケーシング
１６    ブレード
１７    側板
１８    主板
１９    流入口
２０    油捕集機構部
２１    回転軸
２３    流出口
２４    スクロール板
２５    ケーシング前面板
２６    ケーシング背面板
２７    舌部
２８    延設板
２９    延長板
３０    側面部
３１    オリフィス
３２    シャフト
３３    洗浄液
３４    貯水装置
３５    給水部
３６    排水トレイ
３７    孔
３８    開閉弁
３９    第１の通風路
４０    第２の通風路
４３    給水ノズル
４４    給水ポンプ
４５    第１の管
４６    第２の管
４８    操作部
６０    給気ユニット
６１    給気口
６２    給気ファン
６３    メインフィルタ
６４    上部開口部
６５    フィルタ収納部
６６    プレフィルタ
６７    清掃ブラシ
６８    駆動部
６９    ギア
７０    網体
７１    回転軸
７２    開口部
７３    枠
７５    タイマ
７６    位置検知手段
７７    表示ランプ
７８    埃
７９    ガイド
８０    隔壁
８１    シャッター
８２    隔壁
１０１    下部開口部
１０２    排気口
１０３    レンジフード本体
１０４    排気ダクト
１０５    排気チャンバ
１０６    給気ダクト
１０７    給気チャンバ
２０１    建物
２０２    外気導入口
２０３    フィルタ
２０４    塵埃除去手段
２０５    コンプレッサ
２０６    圧力タンク
２０７    噴射ノズル
【図１】
2018054165.tif 000003
【図２】
2018054165.tif 000004
【図３】
2018054165.tif 000005
【図４】
2018054165.tif 000006
【図５】
2018054165.tif 000007
【図６】
2018054165.tif 000008
【図７】
2018054165.tif 000009
【図８】
2018054165.tif 000010
【図９】
2018054165.tif 000011
【図１０】
2018054165.tif 000012
【図１１】
2018054165.tif 000013
【図１２】
2018054165.tif 000014
【図１３】
2018054165.tif 000015
【図１４】
2018054165.tif 000016
【図１５】
2018054165.tif 000017
【図１６】
2018054165.tif 000018